(57)【特許請求の範囲】
【請求項１】
器具本体と、前記器具本体に取り付けられる点灯ユニットとを備え、
前記点灯ユニットは、１つ又は複数の光源ユニットと、前記光源ユニットに電力を供給して点灯させる電源装置と、電波を媒体とした無線通信を行う無線通信装置と、前記光源ユニットから放射される照明光を前方へ反射する１つ又は複数の金属製の反射部材と、表面に前記光源ユニット及び前記反射部材が取り付けられるとともに裏面に前記電源装置が取り付けられる金属製の取付板とを有し、
前記無線通信装置は、アンテナと、前記アンテナで受信する無線信号から制御指令を取得し、かつ、取得した前記制御指令を前記電源装置へ出力する無線通信回路と、前記アンテナ及び前記無線通信回路を収容する筐体とを有し、
前記反射部材は、表面が反射面となる反射板と、一端側で前記取付板に固定され、他端側で前記反射板を支持する側板とを有し、
前記無線通信装置は、少なくとも前記アンテナを、前記取付板と前記反射部材に囲まれた空間に収めるように前記取付板に取り付けられており、
前記反射部材は、前記取付板に固定されている前記側板の一端側において、前記側板と前記取付板の前記表面との間に、前記表面に沿った長さが、前記電波の波長の２分の１以上である隙間を形成しており、
電気絶縁性を有し、前記隙間に挿入されて前記取付板の前記表面と前記側板の前記一端とにそれぞれ接触するスペーサを更に備えていることを特徴とする照明器具。
【請求項２】
前記光源ユニットは、基板の表面に複数個のＬＥＤが実装されているＬＥＤモジュールと、透光性を有する合成樹脂製であって、前記ＬＥＤモジュールを覆うカバーとを有し、
前記スペーサは、前記カバーに設けられていることを特徴とする請求項１記載の照明器具。
【発明の詳細な説明】
【技術分野】
【０００１】
本発明は、照明器具に関し、より詳細には電波を媒体とする無線通信が可能な照明器具に関する。
【背景技術】
【０００２】
従来例として、特許文献１記載の照明装置を例示する。特許文献１記載の照明装置は、天井に埋込配設される取付枠と、取付枠の内側に取り付けられる器具支持基材と、器具支持基材に支持される照明器具と、同じく器具支持基材に支持される無線ＬＡＮ通信装置とを備えている。無線ＬＡＮ通信装置は、２本のアンテナを備え、それらのアンテナが器具支持基材の挿通孔を通して器具支持基材の下側に配置されるようにして器具支持基材に支持されている。
【先行技術文献】
【特許文献】
【０００３】
【特許文献１】実用新案登録第３１８８１６０号公報
【発明の概要】
【発明が解決しようとする課題】
【０００４】
しかしながら、特許文献１記載の従来例は、無線通信用のアンテナが露出しているために見栄えがよくないという問題があった。なお、アンテナが器具支持基材の裏（上）に隠された場合、金属製の器具支持基材に遮られて電波の受信感度が大きく低下するおそれがある。
【０００５】
本発明は、上記課題に鑑みてなされており、アンテナを露出させずに電波の受信感度の低下を抑えることを目的とする。
【課題を解決するための手段】
【０００６】
本発明の照明器具は、器具本体と、前記器具本体に取り付けられる点灯ユニットとを備え、前記点灯ユニットは、１つ又は複数の光源ユニットと、前記光源ユニットに電力を供給して点灯させる電源装置と、電波を媒体とした無線通信を行う無線通信装置と、前記光源ユニットから放射される照明光を前方へ反射する１つ又は複数の金属製の反射部材と、表面に前記光源ユニット及び前記反射部材が取り付けられるとともに裏面に前記電源装置が取り付けられる金属製の取付板とを有し、前記無線通信装置は、アンテナと、前記アンテナで受信する無線信号から制御指令を取得し、かつ、取得した前記制御指令を前記電源装置へ出力する無線通信回路と、前記アンテナ及び前記無線通信回路を収容する筐体とを有し、前記反射部材は、表面が反射面となる反射板と、一端側で前記取付板に固定され、他端側で前記反射板を支持する側板とを有し、前記無線通信装置は、少なくとも前記アンテナを、前記取付板と前記反射部材に囲まれた空間に収めるように前記取付板に取り付けられており、前記反射部材は、前記取付板に固定されている前記側板の一端側において、前記側板と前記取付板の前記表面との間に、前記表面に沿った長さが、前記電波の波長の２分の１以上である隙間を形成しており、電気絶縁性を有し、前記隙間に挿入されて前記取付板の前記表面と前記側板の前記一端とにそれぞれ接触するスペーサを更に備えていることを特徴とする。
【発明の効果】
【０００７】
本発明の照明器具は、アンテナを露出させずに電波の受信感度の低下を抑えることができるという効果がある。
【図面の簡単な説明】
【０００８】
【図１】本発明の実施形態１に係る照明器具を示し、下方から見た斜視図である。
【図２】本発明の実施形態１に係る照明器具を示し、下方から見た分解斜視図である。
【図３】本発明の実施形態１に係る照明器具を示し、上方から見た分解斜視図である。
【図４】本発明の実施形態１に係る照明器具の断面図である。
【図５】本発明の実施形態１に係る照明器具における光源ユニットを示し、片方のカバーエンドを省略した正面図である。
【図６】本発明の実施形態１に係る照明器具における電源装置及び無線通信装置の回路構成図である。
【図７】本発明の実施形態１に係る照明器具における無線通信装置の分解斜視図である。
【図８】本発明の実施形態１に係る照明器具の無線通信装置を含む要部の分解斜視図である。
【図９】本発明の実施形態１に係る照明器具における無線通信装置を含む要部の断面斜視図である。
【図１０】本発明の実施形態２に係る照明器具を示し、下方から見た斜視図である。
【図１１】本発明の実施形態２に係る照明器具を示し、上方から見た斜視図である。
【図１２】本発明の実施形態２に係る照明器具を示し、上方から見た分解斜視図である。
【図１３】本発明の実施形態２に係る照明器具を示し、下方から見た分解斜視図である。
【図１４】本発明の実施形態２に係る照明器具における点灯ユニットを示し、取付枠を省略した分解斜視図である。
【図１５】本発明の実施形態２に係る照明器具における無線通信装置を含む要部の断面図である。
【発明を実施するための形態】
【０００９】
以下、本発明の実施形態に係る照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
（実施形態１）
本発明の実施形態１に係る照明器具Ｘ（以下、実施形態１に係る照明器具Ｘという）は、図１〜図４に示すように器具本体１と、器具本体１に対して着脱自在に取り付けられる点灯ユニット２とを備える。また、以下の説明では、特に断りのない限り、図１に示す向きにおいて、器具本体１の高さ方向を上下方向、光源ユニット３の長手方向を前後方向、光源ユニット３と反射部材７が並ぶ方向を左右方向と規定する。
【００１１】
器具本体１は、角筒状の枠体１０と、矩形平板状のベース板１１とが結合されることにより、下面が開放された矩形箱状に形成されることが好ましい（図２参照）。さらに、器具本体１は、枠体１０の下端部に、矩形枠状のフランジ１２が接合されることが好ましい。なお、枠体１０は、左側の側壁における前後方向の中央に、逆凸字形状の引掛孔１００が設けられている。
【００１２】
ベース板１１は、鋼板などの金属板によって、矩形の平板状に形成されている。ベース板１１は、給電用の電源線が挿通される挿通孔１１０が設けられている。挿通孔１１０に挿通される電源線は、ベース板１１の下面に固定される端子台１６に電気的に接続される（図２参照）。さらに、ベース板１１は、吊りボルトが挿通される複数（図示例では３つ）のボルト挿通孔１１２が左右方向に一列に並べて設けられる。ただし、ベース板１１は、前後方向の長さが枠体１０の前後方向の長さよりも短く形成されている。そのため、器具本体１の上面における後端に、矩形の窓孔１３が設けられている（図３参照）。
【００１３】
器具本体１は、ベース板１１のボルト挿通孔１１２に挿通される吊りボルトにナットが締め付けられて吊りボルトに固定される。そして、器具本体１は、フランジ１２が天井材の下面側に露出し、その他の部分が天井材の埋込孔に挿入されて埋込配設される。
【００１４】
また、枠体１０には、いわゆるラッチ１５が左右方向に間隔を空けて２つずつ取り付けられている（図３参照）。ラッチ１５は、摘まみと、摘まみを回転可能に支持する支持部とを有する。そして、ラッチ１５は、枠体１０の前後両側の上端部分に設けられる取付孔に支持部が挿通されて枠体１０に取り付けられている（図２及び図３参照）。
【００１５】
点灯ユニット２は、図２〜図４に示すように、複数（図示例では３つ）の光源ユニット３、電源装置４、取付板５、無線通信装置６、複数（図示例では２つ）の反射部材７などを備える。
【００１６】
光源ユニット３は、図５に示すように、基板３１、基板３１が取り付けられる取付部材３２、基板３１を覆うようにして取付部材３２に取り付けられるカバー部材３３、カバー部材３３の両端の開口を閉塞するカバーエンド３４などを有する。
【００１７】
基板３１は、絶縁材料（例えば、セラミック）によって長尺の板状に形成されている。基板３１の表面（下面）には、複数個のＬＥＤ（発光ダイオード）３０が、基板３１の短手方向における中央部において、基板３１の長手方向に沿って２列に並べて実装されている。
【００１８】
また、基板３１表面の短手方向におけるＬＥＤ３０の外側に、各ＬＥＤ３０のアノード及びカソードを電気的に接続するための導体が形成されている。さらに、基板３１表面の長手方向における一端にコネクタ３１１が実装され、コネクタ３１１に前記導体が電気的に接続されている。このコネクタ３１１には、後述するように、中継コネクタが電気的に接続される。
【００１９】
取付部材３２は、金属板により、長尺かつ矩形板状の底壁部３２０と、底壁部３２０の左右方向（短手方向）における両端から上向きに突出する一対の側壁部３２１とを有する角樋状に形成されている。底壁部３２０の略中央部には、基板３１を収容するための凹所３２００が全長に亘って設けられている。また、各側壁部３２１の先端（上端）には、互いに離れる向きに傾斜する傾斜部３２１０がそれぞれ全長に亘って設けられている（図５参照）。
【００２０】
また、凹所３２００には、複数の固定部が設けられる。これらの固定部は、凹所３２００の底を切り起こすことで鈎形に形成されている。基板３１には、これら複数の固定部が各別に挿通される複数の孔が貫通している。そして、各固定部は、基板３１の孔に挿通された後、先端側がＬＥＤ３０から遠のく向きに曲げられることにより、凹所３２００の底との間に基板３１を挟み込んで固定する。
【００２１】
カバー部材３３は、透光性を有する材料（例えば、アクリル樹脂等）により、略半円筒形の主部３３０と、主部３３０の長手方向に沿った両端部より互いに並行するように上向きに突出した一対の突壁部３３１とが一体に形成されている。なお、各突壁部３３１の先端（上端）には、内向きに突出する突起部３３１０がそれぞれ一体に設けられている。また、主部３３０の長手方向に沿った両端部には、主部３３０と連なるように各突壁部３３１の外側まで延出された延出部３３２がそれぞれ一体に形成されている。そして、カバー部材３３は、各突壁部３３１の突起部３３１０が、取付部材３２の各傾斜部３２１０に引っ掛けられることにより、基板３１の表面を覆うように取付部材３２の下面側に取り付けられる。
【００２２】
カバーエンド３４は、合成樹脂材料により、厚みの薄い半円板状に形成される。カバーエンド３４は、カバー部材３３及び取付部材３２の長手方向の端部に取り付けられて、カバー部材３３の両端の開口を閉塞する。
【００２３】
また、光源ユニット３を取付板５に取り付けるため、一対の取付金具３６が取付部材３２の上面側に固定される。取付金具３６は、板金を曲げ加工することにより、矩形板状の固定片３６０と、固定片３６０の長手方向の両端部から下向きに曲げ起こされた一対の脚片３６１とが一体に形成されてなる。固定片３６０の中央には、取付板５にねじ止めするためのねじ孔が設けられている。また、各脚片３６１には、取付部材３２の側壁部３２１にねじ止めするためのねじ孔が設けられている。取付金具３６は、取付部材３２の側壁部３２１間に収められる。そして、取付金具３６は、カバー部材３３の突壁部３３１に貫設されたねじ挿通孔と、側壁部３２１に貫設されたねじ挿通孔とに挿通されたねじ３６２が、脚片３６１のねじ孔にねじ込まれることで取付部材３２にねじ止めされる。
【００２４】
取付板５は、鋼板などの金属板によって矩形板状に形成される。３つの光源ユニット３は、長手方向に沿って互いに平行となり、かつ、隣の光源ユニット３との間隔が何れも等しくなるように並べた状態で取付板５の下面に固定される（図２参照）。すなわち、取付板５には複数のねじ挿通孔が設けられており、各ねじ挿通孔に挿通される固定ねじ５０が、取付金具３６の固定片３６０に設けられているねじ孔にねじ込まれることにより、光源ユニット３が取付板５に固定される。なお、取付板５には３つの窓孔５３が１つの辺（前側の辺）に沿って等間隔かつ１列に並ぶように設けられており、各光源ユニット３の中継コネクタがそれぞれ窓孔５３に挿通されている（図３参照）。
【００２５】
また、取付板５の左側における前後方向のほぼ中央に、引掛金具５７がねじ止めされている。引掛金具５７は、取付板５の外側に突出し、器具本体１の枠体１０に設けられている引掛孔１００に挿入される（図１参照）。つまり、点灯ユニット２は、引掛金具５７の先端部分を枠体１０における引掛孔１００の周縁部分に引っ掛けることにより、器具本体１に吊り下げられて仮保持される。
【００２６】
さらに、取付板５の左右両端には、ラッチ１５の摘まみが挿通可能な寸法を有する矩形の挿通孔５４がそれぞれ２つずつ設けられている（図３参照）。すなわち、埋込孔に埋め込まれた器具本体１内に点灯ユニット２を収容する際、取付板５の各挿通孔５４に挿通されたラッチ１５の摘まみが９０度回転されることにより、挿通孔５４に対して摘まみが抜け止めされる。したがって、点灯ユニット２は、４つのラッチ１５によって器具本体１に取り付けられる。ただし、上述のようなラッチ１５は従来周知であるから、詳細な構成の図示並びに説明は省略する。
【００２７】
反射部材７は、隣り合う光源ユニット３の間に生じる２箇所のスペースにそれぞれ配置される（図１及び図２参照）。これらの反射部材７は、一対の反射板７０と、各反射板７０の上端から上向きに延出された一対の側板７１とを有する。反射板７０は、長方形状の金属板が曲げ加工されて構成されている。一対の反射板７０は、長手方向に沿った一方の端縁同士が繋がっており、長手方向から見てＶ字状に形成されている。そして、取付板５に設けられている複数の差込部５１が、側板７１に設けられている複数の差込孔７１０に差し込まれることにより、取付板５に反射部材７が取り付けられる（図２〜図４参照）。
【００２８】
電源装置４は、プリント配線板に電子部品が実装されて構成される電源回路と、前記電源回路を収容するケース４２とを有する。電源回路の回路図を図６に示す。この電源回路は、入力コネクタ４００、フィルタ回路４０１、整流器４０２、昇圧回路４０３、降圧回路４０４、出力コネクタ４０５、主制御回路４０６、制御電源回路４０７、調光制御回路４０８、消灯制御回路４０９、制御用コネクタ４１０などを備える。
【００２９】
入力コネクタ４００は、端子台１６を介して外部電源（商用交流電源）９と電気的に接続される。フィルタ回路４０１は、コモンモードチョークコイル４０１０と、アクロス・ザ・ラインコンデンサ４０１１とで構成される。整流器４０２は、ダイオードブリッジで構成され、フィルタ回路４０１及び入力コネクタ４００を介して外部電源９と交流入力端子が電気的に接続され、外部電源９から供給される交流電圧・交流電流を全波整流して直流出力端子から出力する。
【００３０】
昇圧回路４０３は、チョークコイルＬ１、スイッチ素子Ｑ１、整流素子Ｄ１、平滑コンデンサＣ１などで構成される、従来周知の昇圧チョッパ回路（力率改善回路）である。また、降圧回路４０４は、スイッチ素子Ｑ２、インダクタＬ２、整流素子Ｄ２、抵抗Ｒ１、平滑コンデンサＣ２などで構成される、従来周知の降圧チョッパ回路（バックコンバータ）である。整流器４０２から出力される脈流電圧が昇圧回路４０３で昇圧され、昇圧回路４０３から出力される直流電圧が降圧回路４０４で降圧される。出力コネクタ４０５は、レセプタクルコネクタからなり、降圧回路４０４の出力端子（平滑コンデンサＣ２の両端）と電気的に接続される。
【００３１】
主制御回路４０６は、昇圧回路４０３のスイッチ素子Ｑ１並びに降圧回路４０４のスイッチ素子Ｑ２をそれぞれスイッチングし、昇圧回路４０３の出力電圧を一定に維持するとともに、降圧回路４０４の出力電流を目標値に一致させるように構成される。制御電源回路４０７は、昇圧回路４０３の出力電圧から制御電圧（例えば、５Ｖ〜３Ｖ程度の直流電圧）を生成するように構成される。主制御回路４０６は、制御電源回路４０７から供給される制御電圧で動作する。
【００３２】
制御用コネクタ４１０は、レセプタクルコネクタからなり、無線通信装置６のプラグコネクタ６３が差込接続される。後述するように、無線通信装置６から出力される制御信号が制御用コネクタ４１０を介して調光制御回路４０８と消灯制御回路４０９に入力される。
【００３３】
消灯制御回路４０９は、制御信号に応じて、点灯中の光源ユニット３を消灯させるための消灯信号を生成して主制御回路４０６に出力するように構成される。主制御回路４０６は、消灯信号を受け取ると、スイッチ素子Ｑ２のスイッチングを中止して降圧回路４０４を停止させ、光源ユニット３を消灯するように構成される。ただし、主制御回路４０６は、消灯信号を受け取った場合、スイッチ素子Ｑ２だけでなくスイッチ素子Ｑ１のスイッチングも中止して昇圧回路４０３と降圧回路４０４を双方とも停止させてもよい。このように昇圧回路４０３と降圧回路４０４の双方が停止すれば、降圧回路４０４のみが停止する場合と比較して、消灯中における電源装置４の消費電力が削減される。
【００３４】
また、調光制御回路４０８は、制御信号に応じて、光源ユニット３の光出力（調光レベル）を指示する調光信号を生成して主制御回路４０６に出力するように構成される。なお、調光レベルは、定格電力が供給されているときの光源ユニット３の光出力を１００％としたとき、光源ユニット３に供給される単位時間当たりの平均電力の定格電力に対する比率（％）で表される。例えば、光源ユニット３に供給される単位時間当たりの平均電力が定格電力の半分のとき、調光レベルが５０％となる。言い換えると、調光制御回路４０８は、制御信号で指示される調光レベルが５０％であれば、降圧回路４０４から光源ユニット３に供給される単位時間当たりの平均電力を定格電力の半分にするように指示する調光信号を生成する。主制御回路４０６は、調光制御回路４０８から受け取る調光信号に応じて、スイッチ素子Ｑ２のオンデューティ比を調整するように構成されることが好ましい。さらに詳しく説明すると、調光制御回路４０８は、抵抗Ｒ１の両端電圧から降圧回路４０４の出力電流を検出し、当該出力電流の平均値を調光レベルに対応した目標値に一致させるように、調光信号を生成するように構成されることが好ましい。
【００３５】
プリント配線板は、長尺の矩形平板状の絶縁基板の裏面に配線用の導体（銅はく）が形成されて構成される。プリント配線板の表面に、コネクタや平滑コンデンサ、コモンモードチョークコイル４０１０などの、いわゆるリード部品が実装される。そして、プリント配線板の裏面に、整流器４０２、主制御回路４０６、調光制御回路４０８、消灯制御回路４０９などを構成している表面実装部品が実装される。
【００３６】
ケース４２は、図３に示すように、金属製の板材によって長尺の箱状に形成されている。電源装置４は、ケース４２の長手方向の両端部分が取付板５の上面にねじ止めされることによって、取付板５に取り付けられている。
【００３７】
無線通信装置６は、図７に示すように、回路ブロック６０、筐体６１、信号ケーブル６２、プラグコネクタ６３などを備えている。回路ブロック６０は、回路基板６０Ａと、回路カバー６０Ｂとを有している。また、回路ブロック６０は、図６に示すように、アンテナ６００、無線通信回路６０１、無線制御回路６０２、光通信回路６０３、フォトカプラ６０４、抵抗Ｒ２、Ｒ３、信号出力部６０５などを有している。回路基板６０Ａは、第１領域６０ＡＡと第２領域とに分けられている（図７参照）。第１領域６０ＡＡには、アンテナ６００を構成する導体が形成されている。また、第２領域には、アンテナ６００を除く、無線通信回路６０１、無線制御回路６０２、光通信回路６０３、フォトカプラ６０４、抵抗Ｒ２、Ｒ３、信号出力部６０５などが実装されている。なお、回路カバー６０Ｂは、電磁波を遮断する材料、例えば、銅板やアルミ板などの金属板で箱状に形成され、第２領域を覆うように回路基板６０Ａに取り付けられている。
【００３８】
無線通信回路６０１は、アンテナ６００で受信する無線信号、例えば、９２０ＭＨｚ帯の電波を媒体とする無線信号を受信し、当該無線信号から制御指令を取得するように構成されている。なお、無線信号は、送信機から送信され、照明器具Ｘの点灯・消灯や調光レベルの調整などを行うための制御指令を伝送している。無線通信回路６０１は、無線信号から取得した制御指令を無線制御回路６０２に出力している。無線制御回路６０２は、例えば、マイクロコントローラで構成されている。無線制御回路６０２は、無線通信回路６０１から受け取った制御指令を伝送するための制御信号を生成する。また、無線制御回路６０２は、制御信号が伝送される一対の信号線と電気的に接続される。無線制御回路６０２には、フォトカプラ６０４の入力端子と、限流用の抵抗Ｒ２とが電気的に直列接続される。つまり、フォトカプラ６０４の入力端子には、信号線に伝送される制御信号が無線制御回路６０２を介して入力される。
【００３９】
信号出力部６０５は、信号ケーブル６２を介して電源装置４の制御用コネクタ４１０と電気的に接続される。信号ケーブル６２は３本の電線６２Ａ〜６２Ｃで構成される。そして、電源装置４のグランドとフォトカプラ６０４の負極側の出力端子（フォトトランジスタのエミッタ）とが１本の電線６２Ａで電気的に接続される。また、制御電源回路４０７の出力端子と抵抗Ｒ３の一端との接続点が、他の１本の電線６２Ｂで電気的に接続される。さらに、抵抗Ｒ３の他端とフォトカプラ６０４の正極側の出力端子（フォトトランジスタのコレクタ）の接続点が、残り１本の電線６２Ｃで調光制御回路４０８及び消灯制御回路４０９と電気的に接続される。つまり、抵抗Ｒ３とフォトトランジスタの直列回路には常に一定の制御電源電圧が印加される。そのため、調光制御回路４０８及び消灯制御回路４０９に入力される制御信号は、フォトカプラ６０４の入力電圧がハイレベルのときにローレベルとなり、フォトカプラ６０４の入力電圧がローレベルのときにハイレベルとなる。例えば、無線制御回路６０２で生成される制御信号がパルス幅変調（ＰＷＭ）信号である場合を想定する。この場合、無線制御回路６０２は、制御指令の調光レベルか１００％ときに制御信号のデューティ比を９５％とし、調光レベルが低く（暗く）なるにつれてデューティ比を減少させればよい。調光制御回路４０８は、無線制御回路６０２から伝送される制御信号のデューティ比が９５％のときに調光レベルを１００％とし、デューティ比が減少するにつれて調光レベルを減少させればよい。また、消灯制御回路４０９は、制御信号のデューティ比が下限値（例えば、１０％）以下のときに、消灯信号を出力すればよい。
【００４０】
光通信回路６０３は、赤外線を媒体とする無線通信を行うように構成されている。すなわち、光通信回路６０３は、回路基板６０Ａの第２領域に実装されている受光素子６０３Ａで赤外線信号を受信（受光）し、受信した赤外線信号から取得する設定情報を無線制御回路６０２に出力するように構成されている。なお、設定情報とは、例えば、無線信号（電波）の送信元である送信機に割り当てられている固有の識別情報である。無線制御回路６０２は、光通信回路６０３から受け取った設定情報を、マイクロコントローラに内蔵されているメモリに記憶している。無線通信回路６０１は、アンテナ６００で受信する無線信号から、制御指令だけでなく、送信元の送信機の識別情報を取得して無線制御回路６０２に出力する。無線制御回路６０２は、無線通信回路６０１から受け取った識別情報がメモリに記憶（登録）されている識別情報と一致すれば、無線通信回路６０１から受け取った制御指令を伝送するための制御信号を生成する。一方、無線制御回路６０２は、無線通信回路６０１から受け取った識別情報がメモリに記憶されている識別情報と一致しなければ、無線通信回路６０１から受け取った制御指令を破棄して制御信号を生成しない。つまり、無線制御回路６０２は、無線通信回路６０１が複数の送信機から無線信号を受信可能であっても、識別情報が予め登録されている特定の送信機から送信される制御指令だけを受け入れるように構成されている。
【００４１】
筐体６１は、図７に示すように、ボディ６１０とカバー６１１を備えている。ボディ６１０は、一面（下面）が開放された箱状の合成樹脂成形体で構成されている。ボディ６１０は、短手方向に対向する２つの側壁のうちの一方の側壁に、信号ケーブル６２が挿通される挿通溝６１００が設けられている。また、ボディ６１０は、２つの雌ねじ部６１０１を有している。さらに、ボディ６１０は、長手方向に対向する２つの側壁に、一対の引掛孔６１０２がそれぞれ短手方向に並ぶように設けられている。
【００４２】
カバー６１１は、おおよそ矩形板状の蓋体６１１０と、２対の固定脚６１１１と、アンテナ収容部６１１２とを有している。固定脚６１１１は、蓋体６１１０の短手方向に沿った両端から、それぞれ上向きに突出するように形成されている。なお、これら２対の固定脚６１１１の先端（上端）には、外向きに突出する引掛爪６１１１０が設けられている。アンテナ収容部６１１２は、おおよそ扁平な矩形箱状であって、蓋体６１１０の下面から下向きに突出し、蓋体６１１０の上面に開口するように蓋体６１１０と一体に形成されている。また、アンテナ収容部６１１２の長手方向の端部には、蓋体６１１０の厚み方向（上下方向）に貫通する貫通孔６１１３が設けられている。
【００４３】
ボディ６１０とカバー６１１は、カバー６１１の２対の固定脚６１１１がボディ６１０の４つの引掛孔６１０２に引っ掛けられることによって結合されている（図６参照）。回路ブロック６０は、回路カバー６０Ｂが取り付けられている回路基板６０Ａの第２領域がボディ６１０内に収容され、回路基板６０Ａの第１領域６０ＡＡ（アンテナ６００）がアンテナ収容部６１１２に収容されている（図８参照）。なお、カバー６１１の貫通孔６１１３は、回路基板６０Ａの第２領域に実装されている受光素子６０３Ａの受光部６０３ＡＡと対向している。つまり、設定器から送信される赤外線信号は、筐体６１（カバー６１１）の貫通孔６１１３を通して受光素子６０３Ａに受信（受光）される。
【００４４】
無線通信装置６は、固定金具６４を介して取付板５の下面に固定されている（図８及び図９参照）。固定金具６４は、固定片６４０、一対の脚片６４１、引掛爪６４２、突片６４３などを有している。固定片６４０は、矩形の平板状であって、無線通信装置６のアンテナ６００（アンテナ収容部６１１２）が挿通される挿通孔６４４が設けられている。さらに、固定片６４０は、２つのねじ挿通孔６４５が設けられている。ただし、一方のねじ挿通孔６４５は、挿通孔６４４の縁と繋がっている（図８参照）。一対の脚片６４１は、固定片６４０の短手方向に沿った両側の側端から上向きに立ち上がるように、固定片６４０と一体に形成されている。そして、一方の脚片６４１の先端（上端）から外向きに突出するように、矩形板状の引掛爪６４２が設けられている。また、他方の脚片６４１の先端（上端）から外向きに突出するように、矩形板状の突片６４３が設けられている。なお、突片６４３には、厚み方向（上下方向）に貫通する孔６４３０が設けられている。
【００４５】
無線通信装置６の筐体６１は、アンテナ収容部６１１２が挿通孔６４４に挿通された状態で、２つのねじ挿通孔６４５に挿通される２本のねじが、それぞれ筐体６１の２つの雌ねじ部６１０１にねじ込まれることで固定金具６４に固定されている。固定金具６４は、取付板５に設けられている引掛孔５５に引掛爪６４２が引っ掛けられ、かつ、突片６４３の孔６４３０に挿通されるねじが、取付板５に設けられているねじ孔５２にねじ込まれることにより、取付板５の下面に固定されている（図８及び図９参照）。
【００４６】
ここで、無線通信装置６は、固定金具６４を介して取付板５に固定されている状態において、右側の反射部材７で覆い隠されている（図４参照）。そのため、無線通信装置６が意匠面（点灯ユニット２の下面）に露出しないので、照明器具Ｘの外観上の見栄えをよくすることができる。しかしながら、無線通信装置６が金属製の反射部材７で覆われていることにより、無線通信装置６のアンテナ６００の受信感度が低下してしまうおそれがある。
【００４７】
そこで、実施形態１に係る照明器具Ｘは、取付板５に固定されている反射部材７の側板７１の一端側（上端側）において、側板７１と取付板５の表面（下面）との間に隙間Ｓが形成されている（図９参照）。この隙間Ｓは、取付板５の表面（下面）に沿った長さが、無線信号の媒体となる電波の波長の２分の１以上に形成されている。例えば、無線信号に利用される電波が９２０ＭＨｚ帯の電波である場合、当該電波の波長は約３３［ｃｍ］であるから、隙間Ｓの長さは、１７［ｃｍ］程度が好ましい。なお、隙間Ｓの幅（上下方向の高さ）は、数［ｍｍ］〜十数［ｍｍ］程度が好ましい。
【００４８】
したがって、送信機から送信される無線信号（電波）は、隙間Ｓを通して反射部材７内に進入してアンテナ６００で受信される。つまり、実施形態１に係る照明器具Ｘは、無線通信装置６が金属製の反射部材７で覆われているにも関わらず、隙間Ｓを通して進入する無線信号（電波）を受信することができる。そのため、実施形態１に係る照明器具Ｘは、アンテナ６００（アンテナ収容部６１１２）を露出させずに電波の受信感度の低下を抑えることができる。
【００４９】
なお、無線通信装置６を覆っている反射部材７の反射板７０は、上下方向において無線通信装置６の貫通孔６１１３と対向する位置に、矩形の窓７００が設けられている（図１及び図９参照）。ただし、この窓７００は、赤外線を透過する材料（例えば、アクリル樹脂やポリカーボネート樹脂など）で形成される窓カバーで塞がれていることが好ましい。つまり、設定器から送信される赤外線信号は、窓７００（窓カバー）を通過して無線通信装置６の受光素子６０３Ａで受信（受光）される。
【００５０】
上述のように実施形態１に係る照明器具Ｘは、器具本体１と、器具本体１に取り付けられる点灯ユニット２とを備えている。点灯ユニット２は、１つ又は複数の光源ユニット３と、光源ユニット３に電力を供給して点灯させる電源装置４と、電波を媒体とした無線通信を行う無線通信装置６とを有している。また、点灯ユニット２は、光源ユニット３から放射される照明光を前方へ反射する１つ又は複数の金属製の反射部材７と、表面に光源ユニット３及び反射部材７が取り付けられるとともに裏面に電源装置４が取り付けられる金属製の取付板５とを有している。無線通信装置６は、アンテナ６００と、アンテナ６００で受信する無線信号から制御指令を取得し、かつ、取得した制御指令を電源装置４へ出力する無線通信回路６０１と、アンテナ６００及び無線通信回路６０１を収容する筐体６１とを有している。反射部材７は、表面が反射面となる反射板７０と、一端側で取付板５に固定され、他端側で反射板７０を支持する側板７１とを有している。無線通信装置６は、少なくともアンテナ６００を、取付板５と反射部材７に囲まれた空間に収めるように取付板５に取り付けられている。反射部材７は、取付板５に固定されている側板７１の一端側において、側板７１と取付板５の表面との間に、表面に沿った長さが、電波の波長の２分の１以上である隙間Ｓを形成している。
【００５１】
実施形態１に係る照明器具Ｘが上述のように構成されれば、送信機から送信される無線信号（電波）を、隙間Ｓを通して反射部材７内に進入させてアンテナ６００で受信することができる。つまり、実施形態１に係る照明器具Ｘは、金属製の反射部材７で無線通信装置６を覆い隠しつつ、隙間Ｓを通して進入する無線信号（電波）をアンテナ６００で受信することができる。その結果、実施形態１に係る照明器具Ｘは、アンテナ６００を露出させずに電波の受信感度の低下を抑えることができる。
【００５２】
（実施形態２）
本発明の実施形態２に係る照明器具ＸＸについて、図１０〜図１５を参照して詳細に説明する。ただし、実施形態２に係る照明器具ＸＸの構成要素のうち、実施形態１に係る照明器具Ｘの構成要素と同様の機能を有する構成要素については、形状や大きさなどが異なっていても、共通の符号を付して説明を省略する場合がある。また、以下の説明では、特に断りのない限り、図１０に示す向きにおいて、器具本体１の高さ方向を上下方向、光源ユニット３の長手方向を左右方向、光源ユニット３と反射部材７が並ぶ方向を前後方向と規定する。
【００５３】
実施形態２に係る照明器具ＸＸは、図１０〜図１３に示すように、器具本体１と、器具本体１に対して着脱可能に取り付けられる点灯ユニット２とを備えている。さらに、実施形態２に係る照明器具ＸＸにおいて、点灯ユニット２は、取付枠８を備えることが好ましい。
【００５４】
器具本体１は、矩形板状の本体部１７と、本体部１７の長手方向（前後方向）における両端から下向きに垂下されている一対の脚部１８とを有している。ただし、本体部１７と一対の脚部１８は、鋼板などの金属板が曲げ加工されることで一体に形成されている。本体部１７は、給電用の電源線が挿通される挿通孔１７０が設けられている。挿通孔１７０に挿通される電源線は、本体部１７の下面に固定される端子台１６に電気的に接続される（図１３参照）。さらに、本体部１７は、建物の躯体に埋め込まれている吊りボルトが挿通される複数（図示例では３つ）のボルト挿通孔１７１が前後方向に一列に並べて設けられている。器具本体１は、天井材の埋込孔に挿入され、本体部１７のボルト挿通孔１７１に挿通される吊りボルトにナットが締め付けられて吊りボルトに固定される。なお、本体部１７は、長手方向の両端に、おおよそ台形状の引掛孔１７２がそれぞれ厚み方向（上下方向）に貫通するように設けられている。
【００５５】
点灯ユニット２は、図１１〜図１４に示すように、複数（図示例では３つ）の光源ユニット３、電源装置４、取付板５、無線通信装置６、反射部材７、取付枠８などを備えている。
【００５６】
取付枠８は、図１２に示すように、矩形枠状の枠本体８０と、２つの固定ばね８１とを備えている。枠本体８０は、矩形の枠状に形成されている。また、枠本体８０は、上面から上向きに立ち上がる周壁８００が全周に渡って設けられている。また、周壁８００の左右両側の上端には、一対の固定片８０１がそれぞれ内向きに突出している。そして、取付枠８は、２対の固定片８０１がそれぞれ取付板５にねじ止めされることで取付板５と結合されている（図１１参照）。
【００５７】
２つの固定ばね８１は、いずれも金属製の線材で構成されたねじりコイルばねである。２つの固定ばね８１は、コイル８１０と、コイル８１０の両端から互いに離れる向きに伸びた一対の腕８１１とを、それぞれ有している。ただし、一対の腕８１１は、先端部分がほぼ直角に曲げられている。これらの固定ばね８１は、２つの連結金具８２によって取付枠８の前後両側の周壁８００にそれぞれ取り付けられている（図１２参照）。取付枠８は、２つの固定ばね８１のそれぞれの腕８１１が器具本体１の引掛孔１７２にそれぞれ挿入され、コイル８１０のばね力によって一対の腕８１１が引掛孔１７２の周縁に引っ掛かることにより、器具本体１に取り付けられる（図１１参照）。
【００５８】
３つの光源ユニット３は、基板３１と、基板３１の表面（下面）に実装される複数個のＬＥＤと、カバー３７とをそれぞれ備えている（図１４参照）。基板３１は、長尺の矩形平板状に形成されている。複数個のＬＥＤは、基板３１の下面に長手方向に沿って等間隔に並ぶように配置されて実装されている。また、基板３１の下面には、長手方向（左右方向）の両端にレセプタクルコネクタ３１１がそれぞれ２つずつ実装されている。レセプタクルコネクタ３１１は、基板３１に形成されている導体を介してＬＥＤと電気的に接続されており、電源装置４からの出力線に結線されたプラグコネクタと抜き差し可能に接続される。なお、基板３１は、取付板５に設けられている複数の固定部５８によって取付板５に固定されている。なお、これら複数の固定部５８は、取付板５が切り起こされることで鉤形に形成され、先端部分が基板３１に近付く向きに曲げられることにより、取付板５の下面との間に基板３１を挟み込んで固定している（図１４参照）。
【００５９】
カバー３７は、カバー本体３７０と、２つのカバーエンド３７１とを有している。カバー本体３７０は、アクリル樹脂やポリカーボネート樹脂などの透光性を有する合成樹脂により、主部３７００と、一対の側壁部３７０１と、一対の鍔部３７０２とが一体に形成されている。主部３７００は、おおよそ半円筒形状に形成されている。一対の側壁部３７０１は、長尺な矩形板状であって、主部３７００の長手方向に沿った両側の端縁より上向きに突出するように形成されている。一対の鍔部３７０２は、一対の側壁部３７０１の先端（上端）から互いに離れる向きに突出するように形成されている（図１４参照）。なお、一対の鍔部３７０２は、長手方向の中央及び両端近傍に、半円形状のねじ挿通溝３７０３がそれぞれ設けられている。さらに、一対の鍔部３７０２は、中央のねじ挿通溝３７０３と両端のねじ挿通溝３７０３との間に、一対の溝がそれぞれ設けられている。そして、こられ一対の溝に挟まれた部分が、それぞれ差込部３７０４となる。
【００６０】
カバーエンド３７１は、合成樹脂製であって、カバー本体３７０の長手方向の両端の開口を塞ぐように、取付板５に取り付けられている（図１４参照）。カバーエンド３７１は、上端に設けられている一対の爪部３７１１が、取付板５に設けられている一対の孔に挿入され、かつ、取付板５の上面側における孔の周囲に引っ掛かることにより、取付板５に取り付けられている（図１１参照）。なお、カバーエンド３７１は、カバー本体３７０の短手方向（前後方向）に沿って、一対の鍔部３７０２の外にそれぞれ突出する一対の固定片３７１０を有している。これら一対の固定片３７１０は、厚み方向（上下方向）に貫通する円形の挿通孔３７１０Ａを有している（図１４参照）。
【００６１】
カバー本体３７０は、取付板５に設けられている複数の差込孔５６に、鍔部３７０２に設けられている複数の差込部３７０４がそれぞれ差し込まれることで取付板５に取り付けられている（図１４参照）。
【００６２】
反射部材７は、一対の側板７１の先端（上端）から、互いに近付く向きに突出する一対の固定片７２を有している（図１５参照）。また、これら一対の固定片７２は、長手方向の中央及び両端近傍に、それぞれねじ孔（雌ねじ）７２０が設けられている。
【００６３】
反射部材７は、一対の固定片７２がカバー本体３７０の鍔部３７０２に重ねられ、取付板５に設けられているねじ挿通孔５００に上から挿通されるねじ５０１がねじ孔７２０にねじ込まれることにより、取付板５に取り付けられている（図１５参照）。つまり、反射部材７の固定片７２と取付板５（の下面）との間に、カバー本体３７０の鍔部３７０２の厚みに相当する寸法の隙間が形成されている。この隙間は、反射部材７の長手方向の長さとほぼ同じ長さであるから、例えば、無線信号に利用される電波が９２０ＭＨｚ帯の電波である場合の波長の２分の１（約１７［ｃｍ］）よりも長くなる。
【００６４】
実施形態２に係る照明器具ＸＸにおいて、無線通信装置６は、取付板５の上面に取り付けられている（図１２参照）。取付板５には、無線通信装置６のアンテナ収容部６１１２が挿通される挿通孔５０２と、２つのねじ挿通孔５０３とが設けられている（図１４参照）。ただし、一方のねじ挿通孔５０３は、挿通孔５０２の縁と繋がっている。無線通信装置６の筐体６１は、アンテナ収容部６１１２が挿通孔５０２に挿通された状態で、２つのねじ挿通孔５０３に挿通される２本のねじ５０３が、それぞれ筐体６１の２つの雌ねじ部６１０１にねじ込まれることで取付板５の上面に固定されている。
【００６５】
ここで、挿通孔５０２を通して取付板５の下面側に突出しているアンテナ収容部６１１２は、前側の反射部材７で覆い隠されている（図１５参照）。そのため、無線通信装置６（アンテナ収容部６１１２）が意匠面（点灯ユニット２の下面）に露出しないので、照明器具ＸＸの外観上の見栄えをよくすることができる。しかも、金属製の反射部材７と取付板５との間に、２分の１波長以上の長さの隙間が形成されているため、送信機から送信される無線信号（電波）は、隙間を通して反射部材７内に進入してアンテナ６００で受信される。つまり、実施形態２に係る照明器具ＸＸは、実施形態１に係る照明器具Ｘと同様に、無線通信装置６が金属製の反射部材７で覆われているにも関わらず、隙間を通して進入する無線信号（電波）を受信することができる。そのため、実施形態２に係る照明器具ＸＸは、アンテナ６００（アンテナ収容部６１１２）を露出させずに電波の受信感度の低下を抑えることができる。
【００６６】
ところで、反射部材７と取付板５との間の隙間の幅寸法（高さ寸法）は、カバー本体３７０の鍔部３７０２の厚み寸法で規制されている。つまり、隙間に挿入された鍔部３７０２（スペーサ）が反射部材７と取付板５にそれぞれ接触することにより、反射部材７のがたつきを抑えて隙間の幅寸法の変化を抑制することができる。なお、送信機から送信される無線信号（電波）は、電気絶縁性を有する合成樹脂で形成されている鍔部３７０２（スペーサ）を透過して反射部材７内に進入することが可能である。
【００６７】
上述のように実施形態２に係る照明器具ＸＸにおいて、電気絶縁性を有し、隙間に挿入されて取付板５の表面（下面）と側板７１の一端（上端）とにそれぞれ接触するスペーサ（鍔部３７０２）を備えていることが好ましい。
【００６８】
実施形態２に係る照明器具ＸＸが上述のように構成されれば、反射部材７のがたつきを抑えて隙間の幅寸法の変化を抑制し、電波の受信感度の低下を抑えることができる。
【００６９】
さらに、実施形態２に係る照明器具ＸＸにおいて、光源ユニット３は、基板３１の表面に複数個のＬＥＤが実装されているＬＥＤモジュール（基板３１）と、透光性を有する合成樹脂製であって、ＬＥＤモジュールを覆うカバー３７とを有していることが好ましい。また、スペーサ（カバー本体３７０の鍔部３７０２）は、カバー３７に設けられていることが好ましい。
【００７０】
実施形態２に係る照明器具ＸＸが上述のように構成されれば、スペーサとカバー３７が一体に形成されるため、スペーサがカバー３７と別体に形成される場合と比較して、製造コストの低減を図ることができる。
【符号の説明】
【００７１】
Ｘ，ＸＸ  照明器具
Ｓ  隙間
１  器具本体
２  点灯ユニット
３  光源ユニット
４  電源装置
５  取付板
６  無線通信装置
７  反射部材
３１  基板（ＬＥＤモジュール）
３７  カバー
６１  筐体
７０  反射板
７１  側板
６００  アンテナ
６０１  無線通信回路
３７０２  鍔部（スペーサ）
【図１】
0006643671.tif 000002
【図２】
0006643671.tif 000003
【図３】
0006643671.tif 000004
【図４】
0006643671.tif 000005
【図５】
0006643671.tif 000006
【図６】
0006643671.tif 000007
【図７】
0006643671.tif 000008
【図８】
0006643671.tif 000009
【図９】
0006643671.tif 000010
【図１０】
0006643671.tif 000011
【図１１】
0006643671.tif 000012
【図１２】
0006643671.tif 000013
【図１３】
0006643671.tif 000014
【図１４】
0006643671.tif 000015
【図１５】
0006643671.tif 000016